(57)【要約】      （修正有）【課題】プロジェクターに異常が発生して光源が消灯した場合にプロジェクターの周囲が暗くなるのを防止できるプロジェクターシステムを提供する。【解決手段】光源から射出された光を画像情報に応じて変調し、投写レンズを介して投写面に投写光を投写する画像投写手段、および前記画像投写手段を収納する筐体を有するプロジェクターと、筆記位置に関する情報を出力する電子ペンと、を有するプロジェクターシステムであって、電子ペン４０はプロジェクターから異常発生通知を受信すると、照明装置４０Ｃを点灯させる。【選択図】図３
2014167498.tif 000002
【特許請求の範囲】
【請求項１】
光源から射出された光を画像情報に応じて変調し、投写レンズを介して投写面に投写光を投写する画像投写手段、および前記画像投写手段を収納する筐体を有するプロジェクターと、筆記位置に関する情報を出力する電子ペンと、を有するプロジェクターシステムであって、
前記電子ペンは、
照明光を照射する照明装置と、
前記プロジェクターに異常が発生したことを検知した場合に前記照明装置を点灯させる照明制御手段と、
を備えたことを特徴とするプロジェクターシステム。
【請求項２】
請求項１に記載のプロジェクターシステムにおいて、
前記プロジェクターは、当該プロジェクターに異常が発生した場合に前記電子ペンに異常発生通知を送信し、
前記電子ペンは、
当該プロジェクターより前記異常発生通知を受け付けた場合に前記プロジェクターに異常が発生したことを報知することを特徴とするプロジェクターシステム。
【請求項３】
請求項１または請求項２に記載のプロジェクターシステムにおいて、
前記電子ペンは、定期的に前記プロジェクターに確認要求を送信し、
前記プロジェクターは、前記確認要求を受け付けると前記確認要求に対する確認応答を前記電子ペンに送信し、 
前記照明制御手段は、前記確認要求に対し、前記電子ペンが前記プロジェクターから、所定の時間、前記確認応答を受信しない場合に、前記照明装置を点灯させることを特徴とするプロジェクターシステム。
【請求項４】
請求項１から請求項３のいずれか一項に記載のプロジェクターシステムにおいて、
前記プロジェクターは、
照度を計測する照度計測手段と、
前記筐体に備えられ、前記照度計測手段に前記筐体の外部の光を導くための点検口と、
前記照度計測手段が、前記点検口より導かれた光が所定値以上の照度の光を検出した場合に、当該プロジェクターを自己診断モードに移行させる制御手段と、
を備えたことを特徴とするプロジェクターシステム。
【請求項５】
請求項１から請求項４のいずれか一項に記載のプロジェクターシステムにおいて、
前記照明制御手段は、
所定の操作を受け付けた場合に、前記照明装置を点灯させるとともに前記プロジェクターに光源消灯指示を送信し、
前記プロジェクターは、前記光源消灯指示を受け付けた場合に前記光源を消灯させる、
ことを特徴とするプロジェクターシステム。
【請求項６】
光源から射出された光を画像情報に応じて変調し、投写レンズを介して投写面に投写光を投写する画像投写手段、および前記画像投写手段を収納する筐体を有するプロジェクターと、筆記位置に関する情報を出力する電子ペンと、を有するプロジェクターシステムの制御方法であって、
前記電子ペンは、照明光を照射する照明装置を備え、
前記電子ペンにおいて、前記プロジェクターに異常が発生したことを検知する異常検知ステップと、
前記異常検知ステップにおいて前記プロジェクターに異常が発生したことを検知した場合に前記照明装置を点灯させる照明制御ステップと、
を有することを特徴とするプロジェクターシステムの制御方法。
【発明の詳細な説明】
【技術分野】
【０００１】
本発明は、プロジェクターシステム、およびプロジェクターシステムの制御方法に関する。
【背景技術】
【０００２】
従来、コンピューター等から出力される画像信号に基づく画像をプロジェクター等の表示装置によってスクリーン等に表示するとともに、電子ペンを用いて投写画像に対して行ったユーザーの操作を表示装置が検出し、ユーザーの操作に関する情報に基づく画像を生成して表示させる電子黒板システム（インタラクティブシステム）が提案されている（例えば、特許文献１）。
【先行技術文献】
【特許文献】
【０００３】
【特許文献１】特開２０１１−１４０１５４号公報
【発明の概要】
【発明が解決しようとする課題】
【０００４】
しかしながら、特許文献１のような装置では、プロジェクターに何らかの異常が発生して光源が消灯した場合、スクリーン周辺が暗くなってしまう。また、プロジェクターを天吊り設置または壁掛け設置してユーザーの頭上からスクリーンに投写するシステムの場合、天井の照明がプロジェクターの陰になってユーザーの手元が暗くなってしまう。この際、プロジェクターの状況を確認しようとユーザーが見上げた場合、プロジェクターの下方（床面側）は天井の照明が当たらないので暗くて確認しにくいという問題があった。このため、プロジェクターに何らかの異常が発生して光源が消灯した場合でもユーザーおよびプロジェクター周辺を照らし、ユーザーに確認しやすい環境を提供できるシステムが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターシステムは、光源から射出された光を画像情報に応じて変調し、投写レンズを介して投写面に投写光を投写する画像投写手段、および前記画像投写手段を収納する筐体を有するプロジェクターと、筆記位置に関する情報を出力する電子ペンと、を有するプロジェクターシステムであって、前記電子ペンは、照明光を照射する照明装置と、前記プロジェクターに異常が発生したことを検知した場合に前記照明装置を点灯させる照明制御手段と、を備えたことを特徴とする。
【０００７】
本適用例によれば、プロジェクターに異常が発生したことを電子ペンが検知して照明装置を点灯させるので、プロジェクターに異常が発生して光源が消灯した場合、周囲が急に暗くなってしまう状態を回避することが可能となる。
【０００８】
［適用例２］上記適用例に記載のプロジェクターシステムにおいて、前記プロジェクターは、当該プロジェクターに異常が発生した場合に前記電子ペンに異常発生通知を送信し、前記電子ペンは、当該プロジェクターより前記異常発生通知を受け付けた場合に前記プロジェクターに異常が発生したことを報知することが好ましい。
【０００９】
本適用例によれば、プロジェクターから送信される異常発生通知により、照明装置が点灯し、電子ペンがプロジェクターに異常が発生したことを報知することとなるので、電子ペンを使用しているユーザーにプロジェクターの異常を直ちに知らせることが可能となる。
【００１０】
［適用例３］上記適用例に記載のプロジェクターシステムにおいて、前記電子ペンは、定期的に前記プロジェクターに確認要求を送信し、前記プロジェクターは、前記確認要求を受け付けると前記確認要求に対する確認応答を前記電子ペンに送信し、前記照明制御手段は、前記確認要求に対し、前記電子ペンが前記プロジェクターから、所定の時間、前記確認応答を受信しない場合に、前記照明装置を点灯させることが好ましい。
【００１１】
本適用例によれば、プロジェクターに異常が発生し、電子ペンから定期的にプロジェクターに送信される確認要求に対して確認応答を返すことができない状態になった場合に、電子ペンがプロジェクターに異常が発生したことを検知することが可能となる。
【００１２】
［適用例４］上記適用例に記載のプロジェクターシステムにおいて、前記プロジェクターは、照度を計測する照度計測手段と、前記筐体に備えられ、前記照度計測手段に前記筐体の外部の光を導くための点検口と、前記照度計測手段が、前記点検口より導かれた光が所定値以上の照度の光を検出した場合に、当該プロジェクターを自己診断モードに移行させる制御手段と、を備えることが好ましい。
【００１３】
本適用例によれば、プロジェクターに異常が発生した場合に点灯する電子ペンの照明装置により、プロジェクターの点検口を照らすことでプロジェクターを自己診断モードに移行させ、プロジェクターの状態を点検することが可能となる。特に、プロジェクターを天吊り設置していて天井の照明が当たらないような場合に下面から点検口を照らすことでプロジェクターを点検しやすくなる。
【００１４】
［適用例５］上記適用例に記載のプロジェクターシステムにおいて、前記照明制御手段は、所定の操作を受け付けた場合に、前記照明装置を点灯させるとともに前記プロジェクターに光源消灯指示を送信し、前記プロジェクターは、前記光源消灯指示を受け付けた場合に前記光源を消灯させることが好ましい。
【００１５】
本適用例によれば、電子ペンの操作により、照明装置を点灯させてプロジェクターの光源を消灯させることができる。これにより、電子ペンの操作のみでプロジェクターの画像投写を止めてプロジェクターの下部や周囲を照明装置で照らして調べることが可能となる。
【００１６】
［適用例６］本適用例に係るプロジェクターシステムの制御方法は、光源から射出された光を画像情報に応じて変調し、投写レンズを介して投写面に投写光を投写する画像投写手段、および前記画像投写手段を収納する筐体を有するプロジェクターと、筆記位置に関する情報を出力する電子ペンと、を有するプロジェクターシステムの制御方法であって、前記電子ペンは、照明光を照射する照明装置を備え、前記電子ペンにおいて、前記プロジェクターに異常が発生したことを検知する異常検知ステップと、前記異常検知ステップにおいて前記プロジェクターに異常が発生したことを検知した場合に前記照明装置を点灯させる照明制御ステップと、を有することを特徴とする。
【００１７】
本適用例によれば、異常検知ステップによってプロジェクターに異常が発生したことを検知し、照明制御ステップにより、異常検知ステップによってプロジェクターに異常が発生したことを検知した場合に照明装置を点灯させるので、プロジェクターに異常が発生して光源が消灯したとき、周囲が急に暗くなってしまう状態を回避することが可能となる。
【図面の簡単な説明】
【００１８】
【図１】本実施形態のプロジェクターシステムを示す模式図。
【図２】本実施形態のプロジェクターを天吊り状態で下方から見た斜視図。
【図３】本実施形態の電子ペンの外観図。
【図４】本実施形態のプロジェクターシステムの回路構成を示すブロック図。
【図５】本実施形態のプロジェクターの動作を示すフローチャート。
【図６】本実施形態の電子ペンの動作を示すフローチャート。
【発明を実施するための形態】
【００１９】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
（実施形態）
本実施形態のプロジェクターシステムは、光源から射出された光を画像情報に応じて変調し、投写レンズを介してスクリーン等の投写面に画像を投写するプロジェクターと、投写面に文字または図形を描画するための電子ペンとを有して構成される。また、電子ペンは、照明光を照射する照明装置を備えている。
【００２１】
図１は本実施形態のプロジェクターシステム１００を示す模式図である。
図１に示すように、プロジェクターシステム１００は、プロジェクター１がユーザーＨの頭上に天吊り設置され、ユーザーＨはプロジェクター１が画像を投写するスクリーンＳＣ上で電子ペン４０を使って描画操作を行う。プロジェクター１は、後で説明するペン操作検出手段２５（図４参照）が電子ペン４０の位置情報などの操作情報を検出する。そして、プロジェクター１は、電子ペン４０の描画操作に基づく描画データを画像情報に合成し、スクリーンＳＣの被投写面に投写する。
【００２２】
図２はプロジェクター１の斜視図であり、天吊りされている状態を下方から見た模式図である。
図２に示すように、プロジェクター１の筐体２の下面（床に近い面）には、プロジェクター１の状態を報知する報知手段２７が備えられ、また、筐体２の下面には、外部の光を筐体２の内側に備えられた照度計測手段２９に導くための点検口３が形成されている。点検口３は筐体２に設けられた開口部であり、この点検口３は、透明部材３Ａで覆われている。また、透明部材３Ａは、開閉可能に構成され、筐体２の下面から光を当てることにより、透明部材３Ａを透過した光を照度計測手段２９が計測する。
ユーザーは点検口３を開け、内部を照らすことにより、プロジェクター１の内部を点検することが可能となる。点検口３の内側には、プロジェクター１の内部状態を点検するための図示しない部材、例えばヒューズや動作確認用のスイッチ、光源１１などが配置される。点検口３の内側に点検方法が書かれていてもよい。
【００２３】
図３は電子ペン４０の外観図である。
図３に示すように、電子ペン４０は先端が尖ったペン型の筐体４０Ａに収納されており、筐体４０Ａの先端にペン先スイッチ４０Ｂ、筐体４０Ａの胴体部分に操作スイッチ４０Ｆ、および照明装置４０Ｃを備える。
筐体４０Ａの内部には、照明装置４０Ｃを制御するための照明制御手段４０Ｄ、プロジェクター１との間で通信を行う通信手段４０Ｅを備える。
なお、図３において照明装置４０Ｃは筐体４０Ａの前方（先端方向）に備えられているが、筐体４０Ａの後端に備えられていてもよい。
【００２４】
ユーザーは電子ペン４０を懐中電灯のように保持することにより、照明装置４０Ｃによってプロジェクター１の周辺や天吊り設置されたプロジェクター１の下面を照らすことができる。
【００２５】
図４は本実施形態のプロジェクターシステム１００の回路構成を示すブロック図である。
図４に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、通信手段２６、報知手段２７、異常検知手段２８、照度計測手段２９、電源端子３０、電源部３１等で構成されており、これらはプロジェクター１の筐体２（図２参照）の内部、または外面に配置されている。
【００２６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２９】
本実施形態では、光源１１として光源ランプ１１ａを用いて投写するプロジェクター１を例示したが、本発明は光源としてＬＥＤ（Light emitting diode）光源やレーザー光源などを用いて投写するプロジェクターにも適用することができる。
【００３０】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３１】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３２】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３４】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３５】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３６】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、プロジェクター１を通常動作モードまたは自己診断モードのいずれかに設定するモード設定手段２０１を備える。
【００３７】
自己診断モードとは通常の画像を投写するモードと異なり、プロジェクターの各部分が正しく動作するかをチェックし、そのチェック結果を知らせるモードである。画像が投写できる状態においてはプロジェクター１の内部情報を示す画像を投写し、光源１１に異常が発生して画像を投写できない場合においては報知手段２７の報知パターンなどによって、チェック結果を知らせる。
【００３８】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。
【００３９】
光源制御手段２２は、制御手段２０の指示に基づいて、光源１１に対する電力の供給と停止とを制御し、光源１１の点灯及び消灯を切り替える。
【００４０】
入力操作手段２３は、ユーザーがプロジェクター１に対して各種指示を行うための複数の操作キーを備えている。入力操作手段２３は、図示は省略するが、ユーザーがプロジェクター１に対して各種指示を行うための複数の操作キーを備え、プロジェクター１の筐体２の外面に備えられる本体キーで構成される。
【００４１】
入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４２】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００４３】
ペン操作検出手段２５は、図示しない撮像素子などで構成され、制御手段２０の指示に基づいて、電子ペン４０の操作位置（座標）、およびペン先スイッチ４０Ｂ（図３参照）の押下状態などのペン操作状態を検出し、検出したペン操作情報を制御手段２０に通知する。
【００４４】
通信手段２６は、赤外線などによる無線通信部（図示せず）を備え、電子ペン４０の通信手段４０Ｅとの間で通信を行う。通信手段２６からは、プロジェクターに異常が発生したことを示す異常発生通知や、電子ペン４０から送信された確認要求となる信号を受信したことを確認した確認応答などが電子ペン４０に送信される。
【００４５】
報知手段２７は、ＬＥＤやブザーなどで構成され、プロジェクター１の動作状態を報知する。プロジェクター１に異常が発生した場合には異常内容を報知し、また自己診断モードにおいては内部情報を報知する。報知の方法としてはＬＥＤの点灯色、点灯パターン、ブザーの鳴動パターンなどがある。
【００４６】
異常検知手段２８は、プロジェクター１に異常が発生したことを検知し、制御手段２０に通知する。検知する異常の例として、プロジェクター１の内部温度が所定値以上に上昇した場合の温度異常、光源１１が画像投写中に消灯した場合の光源異常などが挙げられる。
【００４７】
照度計測手段２９は、プロジェクター１周囲の照度を監視するために設けられている。照度計測手段２９は、照度センサーなどから構成され、プロジェクター１の筐体２の点検口３の内側に配置され、点検口３付近の照度を計測して制御手段２０に通知する。照度計測手段２９は、プロジェクター１の動作中において定期的に起動する。制御手段２０は、照度計測手段２９が計測した照度が所定値以上の場合にプロジェクター１を自己診断モードに移行させる。
【００４８】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４９】
電子ペン４０は、図４に示すように、ペン先スイッチ４０Ｂ、照明装置４０Ｃ、照明制御手段４０Ｄ、通信手段４０Ｅ、操作スイッチ４０Ｆなどから構成されており、これらは電子ペン４０の筐体４０Ａ（図３参照）の内部または外面に配置されている。
【００５０】
操作スイッチ４０Ｆは、電子ペン４０の筐体４０Ａの胴体部分に配置され（図３参照）、ユーザーの操作を検出する。検出した操作は照明制御手段４０Ｄに通知される。
【００５１】
ペン先スイッチ４０Ｂは、電子ペン４０の筐体４０Ａの先端に配置され、ユーザーの電子ペン４０による筆記操作によって押圧され、筆記位置に関する情報、例えば、赤外線等による信号を出力する。プロジェクター１のペン操作検出手段２５は、電子ペン４０から出力されるこの筆記位置に関する情報を検出する。
【００５２】
照明装置４０Ｃは、電子ペン４０の筐体４０Ａの胴体部分に配置され（図３参照）、小型ランプやＬＥＤ光源などで構成される。照明装置４０Ｃは、照明制御手段４０Ｄの指示に基づき、点灯または消灯する。ユーザーは電子ペン４０を保持することでプロジェクター１の周辺を照明装置４０Ｃによって照らすことができる。
【００５３】
照明制御手段４０Ｄは、照明装置４０Ｃの点灯および消灯を制御する。照明制御手段４０Ｄは、通信手段４０Ｅを介してプロジェクター１と通信を行うことにより、プロジェクター１に異常が発生したことを検知し、照明装置４０Ｃを点灯させる。
【００５４】
通信手段４０Ｅは、赤外線などによる無線通信部（図示せず）を備え、プロジェクター１の通信手段２６との間で通信を行う。電子ペン４０は、この通信手段４０Ｅからプロジェクター１に対し、確認要求や光源消灯指示などの信号を送信する。
【００５５】
次に、本実施形態のプロジェクターシステム１００の動作を図５、および図６のフローチャートを用いて説明する。
図５はプロジェクター１の動作を示すフローチャートであり、（ａ）は異常発生時の動作、（ｂ）は電子ペン４０の通信手段４０Ｅから信号が送信されたときの動作、（ｃ）は定期的に起動する照度監視動作をそれぞれ示す。
【００５６】
［異常発生時の動作］
図５（ａ）に示すように、プロジェクター１が動作中に、異常検知手段２８がプロジェクター１に異常が発生したことを検知すると、（ステップＳ１０１）、ステップＳ１０２に遷移する。
【００５７】
ステップＳ１０２において制御手段２０は、報知手段２７によりプロジェクター１に異常が発生したことを報知させ、ステップＳ１０３に遷移する。
【００５８】
ステップＳ１０３において制御手段２０は、通信手段２６を介して電子ペン４０に異常発生通知を送信し、ステップＳ１０４に遷移する。
【００５９】
ステップＳ１０４において制御手段２０は、光源制御手段２２により光源１１を消灯させる。次にプロジェクター１の電源をオフしてスタンバイ状態に移行させ、本動作フローを終了する（ステップＳ１０５）。
【００６０】
［電子ペンから信号が送信されたときの動作］
図５（ｂ）に示すように、プロジェクター１が動作中に、通信手段２６が電子ペン４０の通信手段４０Ｅから送信された各種通知コマンドの信号を受信したことを検出すると（ステップＳ１１１）、ステップＳ１１２に遷移する。
【００６１】
ステップＳ１１２において制御手段２０は、ステップＳ１１１において受信した信号が確認要求であるか否かを調べる。確認要求である場合（ステップＳ１１２：Ｙ）には、電子ペン４０に確認応答を送信し（ステップＳ１１４）、ステップＳ１１６に遷移する。つまり、プロジェクター１は、投写を継続する。
一方、受信した信号が確認要求でない場合（ステップＳ１１２：Ｎ）にはステップＳ１１３に遷移する。
【００６２】
ステップＳ１１３において制御手段２０は、ステップＳ１１１において受信した信号が光源消灯指示であるか否かを調べる。光源消灯指示である場合（ステップＳ１１３：Ｙ）には、光源制御手段２２により光源１１を消灯させ（ステップＳ１１５）、ステップＳ１１６に遷移する。
一方、受信した信号が光源消灯指示でない場合（ステップＳ１１３：Ｎ）にはステップＳ１１６に遷移する。つまり、プロジェクター１は、投写を継続する。
【００６３】
ステップＳ１１６において本動作フローを終了する。
【００６４】
［照度監視動作］
図５（ｃ）に示すように、プロジェクター１の動作中において、照度計測手段２９は、定期的に照度監視動作を開始する（ステップＳ１２１）。照度計測手段２９は、点検口３の付近の照度を計測し（ステップＳ１２２）、ステップＳ１２３に遷移する。
【００６５】
ステップＳ１２３において制御手段２０は、ステップＳ１２２において計測した照度が所定値以上であるか（所定の明るさより明るいか）否かを調べる。計測した照度が所定値以上である場合（ステップＳ１２３：Ｙ）には、プロジェクター１は、モード設定手段２０１により自己診断モードに設定され（ステップＳ１２４）、ステップＳ１２５に遷移する。
一方、計測した照度が所定値より小さい場合（ステップＳ１２３：Ｎ）にはステップＳ１２５に遷移する。つまり、プロジェクター１は、通常動作モードで投写を継続する。
【００６６】
ステップＳ１２５において本動作フローを終了する。
【００６７】
図６は電子ペン４０の動作を示すフローチャートであり、（ａ）はプロジェクター１より異常発生通知を受信したときの動作、（ｂ）は定期的にプロジェクター１の動作を確認する定期確認動作、（ｃ）は照明点灯操作を検出したときの動作をそれぞれ示す。
【００６８】
［異常発生通知を受信したときの動作］
図６（ａ）に示すように、通信手段４０Ｅがプロジェクター１より異常発生通知を受信すると、（ステップＳ２０１）、ステップＳ２０２に遷移する。ステップＳ２０１が異常検知ステップに相当する。
【００６９】
ステップＳ２０２において照明制御手段４０Ｄは、照明装置４０Ｃを点灯させ、ステップＳ２０３に遷移する。ステップＳ２０２が照明制御ステップに相当する。
【００７０】
ステップＳ２０３において本動作フローを終了する。
【００７１】
［定期確認動作］
図６（ｂ）に示すように、定期的にプロジェクター１の動作を確認する定期確認動作を開始すると（ステップＳ２１１）、照明制御手段４０Ｄは、通信手段４０Ｅを介してプロジェクター１に確認要求を送信し（ステップＳ２１２）、ステップＳ２１３に遷移する。
【００７２】
ステップＳ２１３において照明制御手段４０Ｄは、所定の時間内にプロジェクター１より確認応答を受信したか否かを調べる。所定の時間内に確認応答を受信した場合（ステップＳ２１３：Ｙ）には、ステップＳ２１５に遷移する。
一方、所定の時間内に確認応答を受信しなかった場合（ステップＳ２１３：Ｎ）には、照明制御手段４０Ｄは、照明装置４０Ｃを点灯させ（ステップＳ２１４）、ステップＳ２１５に遷移する。
【００７３】
ステップＳ２１５において本動作フローを終了する。
【００７４】
［照明点灯操作］
図６（ｃ）に示すように、電子ペン４０の照明制御手段４０Ｄが、操作スイッチ４０Ｆによる所定の照明点灯操作を受け付けると（ステップＳ２２１）、ステップＳ２２２に遷移する。
【００７５】
ステップＳ２２２において照明制御手段４０Ｄは、通信手段４０Ｅを介してプロジェクター１に光源消灯指示を送信し、ステップＳ２２３に遷移する。
【００７６】
ステップＳ２２３において照明制御手段４０Ｄは、照明装置４０Ｃを点灯させ、ステップＳ２２４に遷移する。
【００７７】
ステップＳ２２４において本動作フローを終了する。
【００７８】
上述した実施形態によれば、以下の効果を得られる。
本実施形態のプロジェクターシステム１００によれば、プロジェクター１に異常が発生したことを電子ペン４０が検知して照明装置４０Ｃを点灯させるので、プロジェクター１に異常が発生して光源１１が消灯した場合、周囲が急に暗くなってしまう状態を回避することが可能となる。また、照明装置４０Ｃによってプロジェクター１の周辺を照らすことによりユーザーが異常発生の原因を確認しやすい環境を提供できる。
【００７９】
また、プロジェクター１から送信される異常発生通知により、照明装置４０Ｃが点灯し、電子ペン４０がプロジェクター１に異常が発生したことを報知することとなるので、電子ペン４０を使用しているユーザーにプロジェクター１の異常を直ちに知らせることが可能となる。
【００８０】
また、プロジェクター１に異常が発生し、電子ペン４０から定期的にプロジェクター１に送信される確認要求に対して確認応答を返すことができない状態になった場合に、電子ペン４０がプロジェクター１に異常が発生したことを検知することが可能となる。
【００８１】
また、プロジェクター１に異常が発生した場合に点灯する電子ペン４０の照明装置４０Ｃにより、プロジェクター１の点検口３を照らすことでプロジェクター１を自己診断モードに移行させ、点検することが可能となる。特に、プロジェクター１を天吊り設置していて天井の照明が当たらないような場合に下面から点検口３を照らすことでプロジェクター１を点検しやすくなる。
【００８２】
また、電子ペン４０の操作により、照明装置４０Ｃを点灯させてプロジェクター１の光源１１を消灯させることができる。これにより、電子ペン４０の操作のみでプロジェクター１の画像投写を止めてプロジェクター１の下部や周囲を照明装置４０Ｃで照らして調べることが可能となる。
【００８３】
また、本実施形態は、以下のように変更してもよい。
（変形例１）
上記実施形態において、電子ペン４０の照明装置４０Ｃが数段階の輝度設定を備える構成とし、プロジェクター１に異常が発生したことを検知した場合には低い輝度で点灯し、ユーザーの所定操作により明るい輝度に変更するようにしてもよい。これにより、ユーザーが電子ペン４０の照明装置４０Ｃの方向を見ていたときにプロジェクター１に異常が発生した場合、ユーザーに照明装置４０Ｃの明るい光が当たるのを防止することが可能となる。この場合、ユーザーは所定の操作により、照明装置４０Ｃの輝度を上げ、周囲を照らすことができる。
【００８４】
電子ペン４０が音を発生させるブザーや、振動を発生させる振動装置等を備える構成とし、プロジェクター１に異常が発生した場合に、照明装置４０Ｃの点灯に加え、ブザーや振動装置が動作するように構成してもよい。
【符号の説明】
【００８５】
１００…プロジェクターシステム、１…プロジェクター、２…筐体、３…点検口、３Ａ…透明部材、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…モード設定手段、２１…記憶手段、２２…光源制御手段、２３…入力操作手段、２５…ペン操作検出手段、２６…通信手段、２７…報知手段、２８…異常検知手段、２９…照度計測手段、３０…電源端子、３１…電源部、４０…電子ペン、４０Ａ…筐体、４０Ｂ…ペン先スイッチ、４０Ｃ…照明装置、４０Ｄ…照明制御手段、４０Ｅ…通信手段、４０Ｆ…操作スイッチ。
【図１】
2014167498.tif 000003
【図２】
2014167498.tif 000004
【図３】
2014167498.tif 000005
【図４】
2014167498.tif 000006
【図５】
2014167498.tif 000007
【図６】
2014167498.tif 000008